(57)【要約】【課題】第１キャビネットと第２キャビネットとを確実に固定しながらできるだけ大きなバッテリを収容できるようにする。【解決手段】第１キャビネット３と第２キャビネット４との内部にバッテリ６が収容される携帯電話機１（携帯端末）において、第１キャビネット３に間隔をあけて一対の第１クリップ係合部１０を形成し、それに対応して第２キャビネット４に一対の第２クリップ係合部１１を形成し、第１クリップ係合部１０と第２クリップ係合部１１とを付き合わせた状態で、両者を弾性部材よりなるクリップ部材１２で挟持する。【選択図】図１
2014007503.tif 000002
【特許請求の範囲】
【請求項１】
第１キャビネットと第２キャビネットとを有し、該第１キャビネットと該第２キャビネットとの内部にバッテリが収容される携帯端末において、
上記第１キャビネットには、間隔をあけて一対の第１クリップ係合部が形成され、
上記第２キャビネットには、上記第１クリップ係合部に対応する位置に一対の第２クリップ係合部が形成され、
上記第１クリップ係合部と上記第２クリップ係合部とを付き合わせた状態で、該第１クリップ係合部と該第２クリップ係合部とが弾性部材よりなるクリップ部材にそれぞれ挟持されている
ことを特徴とする携帯端末。
【請求項２】
請求項１に記載の携帯端末において、
上記バッテリは、一対の上記クリップ部材間に収容されている
ことを特徴とする携帯端末。
【請求項３】
請求項２に記載の携帯端末において、
上記第１キャビネットには、板金が一体成形され、
上記板金の上記第２キャビネット側に上記バッテリが配置され、
上記第１クリップ係合部は、上記板金から上記第２キャビネット側へ切り起こされた段差部に形成されている
ことを特徴とする携帯端末。
【請求項４】
請求項３に記載の携帯端末において、
上記第１キャビネットには、表示部が収容され、
上記第２キャビネットには、メイン基板が収容され、
上記バッテリは、上記表示部と上記メイン基板との間に収容されている
ことを特徴とする携帯端末。
【請求項５】
請求項４に記載の携帯端末において、
上記クリップ部材は、導電材料よりなり、
上記第１キャビネットには、板金が一体成形され、該板金に上記クリップ部材が導通し、該クリップ部材が上記基板のアースの役割を果たしている
ことを特徴とする携帯端末。
【発明の詳細な説明】
【技術分野】
【０００１】
本発明は、携帯電話機などの携帯端末に関し、特にその筐体の構造に関する。
【背景技術】
【０００２】
従来より、携帯端末の筐体は、第１キャビネットと第２キャビネットとを有し、これらのキャビネット内に液晶ディスプレイ、バッテリ、基板等が内蔵されることが知られている。
【０００３】
例えば、特許文献１の小型電子機器では、フロントキャビネットと、バックキャビネットとの間にシャーシ、メイン基板を嵌め込んで６本のネジを小型電子機器の厚さ方向にねじ込んで締結している。
【先行技術文献】
【特許文献】
【０００４】
【特許文献１】特開２０１０−５６８１０号公報
【発明の概要】
【発明が解決しようとする課題】
【０００５】
しかしながら、上記特許文献１のような携帯端末では、６箇所にネジを締結するためのボスを設けなければならず、特に上下中央付近にボス部があるために、その部分にバッテリを配置しようとすると、バッテリの幅が制限されるという問題があった。
【０００６】
本発明は、かかる点に鑑みてなされたものであり、その目的とするところは、第１キャビネットと第２キャビネットとを確実に固定しながらできるだけ大きなバッテリを収容できるようにすることにある。
【課題を解決するための手段】
【０００７】
上記の目的を達成するために、この発明では、第１キャビネットの上下中間と第２キャビネットの上下中間とをクリップで止めるようにした。
【０００８】
具体的には、第１の発明では、
第１キャビネットと第２キャビネットとを有し、該第１キャビネットと該第２キャビネットとの内部にバッテリが収容される携帯端末を前提とする。
【０００９】
そして、上記携帯端末において、
上記第１キャビネットには、間隔をあけて一対の第１クリップ係合部が形成され、
上記第２キャビネットには、上記第１クリップ係合部に対応する位置に一対の第２クリップ係合部が形成され、
上記第１クリップ係合部と上記第２クリップ係合部とを付き合わせた状態で、該第１クリップ係合部と該第２クリップ係合部とが弾性部材よりなるクリップ部材にそれぞれ挟持されている。
【００１０】
すなわち、従来のようにボス部に厚さ方向にネジをねじ込んで締結する構造であると、ボス部の外径分だけスペースを必要とするが、上記の構成によると、ボス部よりも狭いスペースでクリップ部材にて第１キャビネットと第２キャビネットとを確実に固定できるので、バッテリ等を収容するためのスペースを確保しやすくなる。
【００１１】
第２の発明では、第１の発明において、
上記バッテリは、一対の上記クリップ部材間に収容されている。
【００１２】
上記の構成によると、ネジ用のボス部を設けなくても、一対のクリップにより、第１キャビネットと第２キャビネットとが固定されるので、従来のようにボス部間にバッテリを収容する場合に比べてバッテリの幅を広くすることができる。
【００１３】
第３の発明では、第２の発明において、
上記第１キャビネットには、板金が一体成形され、
上記板金の上記第２キャビネット側に上記バッテリが配置され、
上記第１クリップ係合部は、上記板金から上記第２キャビネット側へ切り起こされた段差部に形成されている。
【００１４】
上記の構成によると、第２キャビネット側へ板金を切り起こした段差部に形成した第１クリップ係合部と、第２クリップ係合部とをクリップにて付き合わせた状態で挟み込むようにしているので、第１キャビネット側の板金近傍の空間にまでバッテリを収容することができる。
【００１５】
第４の発明では、第３の発明において、
上記第１キャビネットには、表示部が収容され、
上記第２キャビネットには、メイン基板が収容され、
上記バッテリは、上記表示部と上記メイン基板との間に収容されている。
【００１６】
すなわち、第１及び第２キャビネットが厚さ方向に丸みのある形状を有する場合、携帯端末の厚さ方向中間が最も幅方向のスペースが広くなるが、上記の構成によると、バッテリを最も幅方向のスペースが広くなる厚さ方向中間においてクリップ部材で第１クリップ係合部と第２クリップ係合部とを挟持することにより、従来よりも幅の広いバッテリを配置できる。
【００１７】
第５の発明では、第４の発明において、
上記クリップ部材は、導電材料よりなり、
上記第１キャビネットには、板金が一体成形され、該板金に上記クリップ部材が導通し、該クリップ部材が上記基板のアース（接地）の役割を果たしている。
【００１８】
上記の構成によると、クリップ部材を基板から板金へのアース用の部品とすることで、別途アース用の部品を設ける必要がなくなる。
【発明の効果】
【００１９】
以上説明したように、本発明によれば、第１キャビネットの第１クリップ係合部と第２キャビネットの第２クリップ係合部とを付き合わせた状態で、これらの係合部を弾性部材よりなるクリップ部材で狭持するようにしたことにより、ボス部を設けるスペースが不要となり、第１キャビネットと第２キャビネットとを確実に固定しながらできるだけ大きなバッテリを収容できる。
【図面の簡単な説明】
【００２０】
【図１】図２のＩ−Ｉ線拡大断面図である。
【図２】本発明の実施形態に係る携帯電話機を示す斜視図である。
【図３】携帯電話機を正面側から見た分解斜視図である。
【図４】携帯電話機を背面側から見た分解斜視図である。
【図５】クリップ部材、第１クリップ係合部及びその周辺を拡大して示す斜視図である。
【図６】第１クリップ係合部、板金及びその周辺を示す拡大斜視図である。
【図７】クリップを拡大して示し、（ａ）が左右内側側方から見た斜視図であり、（ｂ）が左右外側から見た斜視図である。
【図８】インサート板金を拡大して示す斜視図である。
【発明を実施するための形態】
【００２１】
以下、本発明の実施形態を図面に基づいて説明する。
【００２２】
図１〜図４は本発明の実施形態の携帯端末としての携帯電話機１（スマートフォン）を示し、この携帯電話機１は、表示部２を有する正面側の第１キャビネット３と、この第１キャビネット３の背面側を覆う第２キャビネット４とを有し、この第２キャビネット４の背面側が樹脂成形品等よりなるリアカバー５で覆われている。
【００２３】
第１キャビネット３と第２キャビネット４とリアカバー５とで形成される空間には、バッテリ６、メイン基板７等が収容されている。具体的には、第１キャビネット３は、図８に示すステンレス薄板などよりなる板金８がインサート成形されている。図１に示すように、表示部２は、この板金８の正面側に配置され、液晶ディスプレイ、タッチパネル等を含み、第１キャビネット３の枠状のディスプレイ収容凹部３ａに両面テープ３ｂ等により、貼り付けられている。
【００２４】
図３及び図４に示すように、第１キャビネット３の上下端部には、左右に間隔をあけてネジ穴３ｃが形成されている。第２キャビネット４は、枠状の例えば樹脂成形品よりなり、上下端部に上記ネジ穴３ｃに対応させてボス部４ａが形成されている。このボス部４ａにネジ９を挿通してネジ穴３ｃに締結するようになっている。
【００２５】
そして、図５及び図６に拡大して示すように、第１キャビネット３の上下中央かつ左右端部には、左右に間隔をあけて一対の第１クリップ係合部１０が形成されている。この第１クリップ係合部１０は、例えば、板金８をインサート成形するときに正面側へ隆起させた上下に伸びる突条の樹脂部分よりなる。板金８の第１クリップ係合部１０の左右外側には、上下方向に長いクリップ係合用切欠８ａが切り欠かれている。
【００２６】
図１に示すように、第２キャビネット４には、第１クリップ係合部１０に対応する位置に一対の第２クリップ係合部１１が形成されている。第２クリップ係合部１１は、第２キャビネット４の成形時に背面側に隆起させた突条部分よりなる。
【００２７】
そして、これら第１クリップ係合部１０と第２クリップ係合部１１とを付き合わせた状態で、両者がステンレス鋼板等の弾性部材よりなるクリップ部材１２にそれぞれ挟持されている。クリップ部材１２は、図７に示すように、板状のクリップ本体１２ａの左右に湾曲した一対のバネ部１２ｂを有し、この一対のバネ部１２ｂの弾性により、第１クリップ係合部１０と第２クリップ係合部１１とが厚さ方向に拡がらないように狭持されている。図６に示すように、第１クリップ係合部１０の下方は、平坦なクリップ挿入部１４が形成されている。このクリップ挿入部１４にクリップ部材１２のバネ部１２ｂを左右内側から挿入してから上方へスライドさせるようになっている。このように構成することにより、バネ部１２ｂのバネ係数が高い場合でも、クリップ部材１２の取付が容易となっている。
【００２８】
そして、クリップ部材１２が係合位置に来たときに、バネ部１２ｂがクリップ係合用切欠８ａに嵌り込んでクリップ部材１２が上下方向にずれてしまわないようになっている。そして、この状態で、クリップ部材１２が板金８に電気的に接続されている。このため、このクリップ部材１２にメイン基板７等からグランド線（図示せず）を接続することにより、他の部品を追加することなく、第２キャビネット４側にあるメイン基板７から第１キャビネット３側にある板金８へのアースが極めて容易となっている。
【００２９】
図１に示すように、第１キャビネット３及び第２キャビネット４（リアカバー５）が厚さ方向に丸みのある形状を有する場合、携帯電話機１の厚さ方向中間が最も幅方向のスペースが広くなる。そして、第２キャビネット４側へ板金８を切り起こした段差部８ａに形成した第１クリップ係合部１０と、第２クリップ係合部１１とをクリップ部材１２にて付き合わせた状態で挟み込むようにしているので、第１キャビネット３側の板金８近傍の空間にまでバッテリ６を収容することができる。このため、バッテリ６は、最も幅方向のスペースが広くなる厚さ方向中間に配置されている。
【００３０】
そして、従来のようにボス部のネジ穴に厚さ方向にネジをねじ込んで締結する構造であると、ボス部の外径分だけスペースを必要とするが、本実施形態では、ネジ用のボス部を設けなくても、ボス部よりも狭いスペースでクリップ部材１２にて第１キャビネット３と第２キャビネット４とを確実に固定できるので、バッテリ６等を収容するためのスペースを確保しやすくなる。このため、バッテリ６を左右一対のクリップ部材１２間の近傍までの幅を有する大きなものとすることができる。
【００３１】
したがって、本実施形態に係る携帯電話機１によると、第１キャビネット３の第１クリップ係合部１０と第２キャビネット４の第２クリップ係合部１１とを付き合わせた状態で、これらの第１及び第２クリップ係合部１０，１１を弾性部材よりなるクリップ部材１２で狭持するようにしたことにより、ボス部を設けるスペースが不要となり、第１キャビネット３と第２キャビネット４とを確実に固定しながらできるだけ大きなバッテリ６を収容できる。
【００３２】
（その他の実施形態）
本発明は、上記実施形態について、以下のような構成としてもよい。
【００３３】
すなわち、上記実施形態では、左右一対のクリップ部材１２を設けたが、その数は限定されず、更に多くのクリップ部材１２で第１キャビネット３と第２キャビネット４とを狭持するようにしてもよい。
【００３４】
上記実施形態では、携帯端末は、スマートフォンを含む携帯電話機１としたが、ＰＨＳ（Personal Handy-phone System ）、ＰＤＡ(Personal Digital Assistant)、パソコン、モバイルツール、電子辞書、電卓、ゲーム機等であってもよい。
【００３５】
なお、以上の実施形態は、本質的に好ましい例示であって、本発明、その適用物や用途の範囲を制限することを意図するものではない。
【産業上の利用可能性】
【００３６】
以上説明したように、本発明は、突き合わせる一対のキャビネット内にバッテリを有する携帯電話機などの携帯端末について有用である。
【符号の説明】
【００３７】
１      携帯電話機（携帯端末）
２      表示部
３      第１キャビネット
３ａ    ディスプレイ収容凹部
３ｂ    両面テープ
３ｃ    ネジ穴
４      第２キャビネット
４ａ    ボス部
５      リアカバー
６      バッテリ
７      メイン基板
８      板金
８ａ    クリップ係合用切欠
９      ネジ
１０      第１クリップ係合部
１１      第２クリップ係合部
１２      クリップ部材
１２ａ    クリップ本体
１２ｂ    バネ部
１４      クリップ挿入部
【図１】
2014007503.tif 000003
【図２】
2014007503.tif 000004
【図３】
2014007503.tif 000005
【図４】
2014007503.tif 000006
【図８】
2014007503.tif 000007
【図５】
2014007503.tif 000008
【図６】
2014007503.tif 000009
【図７】
2014007503.tif 000010